(57)【要約】【課題】端子台と接続された外部配線を過剰に折り曲げることなく、配線することができる端子台を提供すること。【解決手段】端子台１の電源側端子部３は、電線を前面から固定する端子部３ａと、端子部３ａの頭頂部を被覆するように端子部３ａの前面に配置された端子カバー１２を備え、端子カバー１２を、上部または下部の少なくとも何れかに偏らせて配置し、偏らせて配置した端子カバー１２の反対側に、端子部３ａの前面側から端子部３ａの頭頂部への配線を可能とする配線空間１６ａを確保して配置した。【選択図】図２
2013222609.tif 000002
【特許請求の範囲】
【請求項１】
電気機器収納用箱を構成する筐体に取り付けて使用される端子台であって、
該端子台は、電線を前面から固定する端子部と、該端子部の頭頂部を被覆するように該端子部の前面に配置された端子カバーを備え、
該端子カバーを、該端子部の上部または下部の少なくとも何れかに偏らせて配置し、
偏らせて配置した該端子カバーの反対側に、該端子部の前面側から該端子部の頭頂部への配線を可能とする配線空間を確保して配置したことを特徴とする端子台。
【請求項２】
該端子台には、前面上下端部に凹部を備えるとともに、該端子部の頭頂部の上下位置に、該端子カバーを係止する端子カバー係止部を備え、
該端子台の下端部の凹部と、該端子部の頭頂部上位置の該端子カバー係止部とで端子カバーを係止して端子カバーの上部に配線空間を確保し、
または、該端子台の上端部の凹部と、該端子部の頭頂部下位置の該端子カバー係止部とで該端子カバーを係止して該端子カバーの下部に配線空間を確保することを特徴とする請求項1記載の端子台。
【請求項３】
該端子台の該端子部の頭頂部の上下位置に、端子部に接続された負荷名称や相を示す名称板を保持する名称板保持部を備え、
該名称板保持部は、背面側保持面と、前面開口部を有し、
該端子カバー係止部を、該前面開口部の開口端部に形成したことを特徴とする請求項２記載の端子台。
【発明の詳細な説明】
【技術分野】
【０００１】
本発明は、端子台に用いられ端子部の頭頂部を被覆するカバーの構造に関するものである。
【背景技術】
【０００２】
特許文献１、特許文献２に示す端子台は、電気機器収納用箱を構成する筺体の壁面に配置され、筐体の外部配線と内部配線との接続等に使用される端子台である。
【０００３】
従来から、端子台と内部配線との接続手段は特に限定されず半田付け或いは端子ネジによる締め付け等により行われているのに対し、端子台と外部配線との接続は、専ら端子ネジを介して行われる構造が一般的である。
【０００４】
また、特許文献２に示す外部配線の接続に用いる端子ネジの頭頂部が端子台の表面に露出している場合、作業者等と接触する危険性があるため、端子台には、端子ネジの頭頂部を被覆するカバーを着脱自在に設けることが好ましい（例えば、特許文献１）。
【０００５】
頭頂部をカバーで被覆された端子ネジによって端子台と接続された外部配線は、特許文献１の[図９]に記載のように、カバーと平行（すなわち、端子台と外部配線との接続に用いる端子ネジの差し込み方向と垂直）に引き出して配線されることが通常である。
【０００６】
しかし、例えば、図９に示すように、端子台１００を配置する１Ｕサイズのユニット３００（１９インチラックの1区画に収まるように、厚さ１．７５インチ(約４４．５ｍｍ)程のサイズに設計されたユニット）等、重ねて配置される薄型の筐体であって、上下に重ねたユニット３００、４００のサイズが不均一の場合には、電線５００を端子カバー２００と平行に引き出して配線することができないため、端子台１００と接続された電線５００を端子カバー２００と平行に引出した後、９０°に近い角度で端子カバー２００の外に向けて折り曲げて配線することが必要となり、過剰な折り曲げによる負荷によって電線が破損しやすいという問題があった。
【先行技術文献】
【特許文献】
【０００７】
【特許文献１】特開２００８−１７６９４６号公報
【特許文献２】実開平０１−７７７３号公報
【発明の概要】
【発明が解決しようとする課題】
【０００８】
本発明の目的は前記の問題を解決し、外部配線の接続に用いる端子部の頭頂部を被覆するカバーを着脱自在に備え、該カバーと平行に、外部配線の配線スペースが確保できない場合であっても、端子台と接続された外部配線を過剰に折り曲げることなく、配線することができる端子台を提供することである。
【課題を解決するための手段】
【０００９】
上記課題を解決するためになされた本発明の端子台は、電気機器収納用箱を構成する筐体に取り付けて使用され、端子部は、電線を前面から固定する端子部と、該端子部の頭頂部を被覆するように該端子部の前面に配置された端子カバーを備え、該端子カバーを、上部または下部の少なくとも何れかに偏らせて配置し、偏らせて配置した該端子カバーの反対側に、該端子部の前面側から該端子部の頭頂部への配線を可能とする配線空間を確保して配置したことを特徴とするものである。
【００１０】
請求項２記載の発明は、請求項1記載の端子台において、該端子台には、前面上下端部に凹部を備えるとともに、該端子部の頭頂部の上下位置に、該端子カバーを係止する端子カバー係止部を備え、該端子台の下端部の凹部と、該端子部の頭頂部上位置の該端子カバー係止部とで端子カバーを係止して端子カバーの上部に配線空間を確保し、または、該端子台の上端部の凹部と、該端子部の頭頂部下位置の該端子カバー係止部とで該端子カバーを係止して該端子カバーの下部に配線空間を確保することを特徴とするものである。
【００１１】
請求項３記載の発明は、請求項２記載の端子台において、該端子台の該端子部の頭頂部の上下位置に、端子部に接続された負荷名称や相を示す名称板を保持する名称板保持部を備え、該名称板保持部は、背面側保持面と、前面開口部を有し、該端子カバー係止部を、該前面開口部の開口端部に形成したことを特徴とするものである。
【発明の効果】
【００１２】
本発明に係る端子台は、端子部に、電線を前面から固定する端子部の頭頂部を被覆するように電源側端子部の前面に配置された端子カバーを備えているため、露出した端子部への接触に起因する事故を回避することができるとともに、端子カバーを、上部または下部の少なくとも何れかに偏らせて配置し、偏らせて配置した該端子カバーの反対側に、該端子部の前面側から該端子部の頭頂部への配線を可能とする配線空間を確保して配置しているため、端子カバーと平行に外部配線の配線スペースが確保できない場合であっても、端子台と接続された外部配線を過剰に折り曲げることなく配線することができる。したがって、過剰な折り曲げによる負荷による電線の破損を効果的に回避することができる。また、電線の引き出し構造に合わせて端子カバーの配置を自由に選択可能にすることができる。
【００１３】
請求項２記載の発明のように、隣り合う端子部を仕切る隔壁には、前面上下端部に凹部を備えるとともに、端子部の頭頂部の上下位置に、端子カバーを係止する端子カバー係止部を備え、隔壁の下端部の凹部と、端子部の頭頂部上位置の端子カバー係止部とで端子カバーを係止、または、隔壁の上端部の凹部と、端子部の頭頂部下位置の該端子カバー係止部とで端子カバーを係止して端子カバーの下部に配線空間を確保することにより、端子カバーは上下の何れかに偏らせて端子カバーを配置することが可能となるため、端子部から電線に過剰な折り曲げ負荷を掛けることなく電線を引き出すことが可能である。また、請求項３記載の発明のように、端子部に接続された負荷名称や相を示す名称板を保持する名称板保持部を備え、名称板保持部の前面開口部の開口端部に端子カバー係止部を形成することにより、端子カバーの係止構造を、簡易な構造とすることができる。
【図面の簡単な説明】
【００１４】
【図１】本発明の端子台を取り付けた電気機器収納用箱の外観図である。
【図２】電源側端子部側からみた端子台の全体斜視図である。
【図３】負荷側端子部側からみた端子台の全体斜視図である。
【図４】端子カバーの他の取付構造を示した全体斜視図である。
【図５】端子台の断面説明図である。
【図６】端子台の断面説明図である。
【図７】図２から端子カバー及び名称板を除いた図である。
【図８】本実施形態の端子台の分解説明図である。
【図９】従来技術の説明図である。
【発明を実施するための形態】
【００１５】
以下に本発明の好ましい実施形態を示す。本発明の端子台１は、図１に示すように、電気機器収納用箱を構成する筐体２に取り付けて使用され、外部からの配線と内部からの配線の双方を接続可能としたものであり、図２、図３に示すように、筐体の外側に配置される電源側端子部３と、筐体の内側に配置される負荷側端子部４とから構成されている。電源側端子部３の左右両端部には、ブロック状の取付部５を備えている。
【００１６】
電源側端子部３と負荷側端子部４との間には、図５、図６に示すように、略コ字状の端子板２２が渡されている。略コ字状の端子板２２は、両端部に形成された腕部６と、腕部６間を連結する連結部７から構成され、双方の腕部６と、負荷側端子部４の腕部に隣接した連結部７の３か所に、端子部３ａ、４ａが挿通される端子孔９が形成されている。このように、負荷側端子部４における配線方向を水平あるいは垂直方向の何れも選択自在とすることにより、あらゆる取り付け箇所に柔軟に対応することができる。端子板２２は、左右の隔壁１０によって落下しないように保持されており、ねじ止め等は成されていない。
【００１７】
電源側端子部３と負荷側端子部４の双方で、腕部６に形成された端子孔９を使用する場合、電線の引き出し方向によっては、端子台１を回動させて使用することも可能である。そこで、本実施形態では、図７に示すように、電源側端子部３を、外観が上下対称となるように形成し、端子台１を回動させて使用する場合であっても、外観を変えることなく使用可能としている。
【００１８】
図７に示すように、電源側端子部３において、複数の端子部３ａを形成し、隣り合う端子部３ａを仕切る左右の隔壁１０ａには、端子部３ａの上側および下側の双方に該当する位置に、端子部３ａの相、端子部３ａに接続された負荷名称等を示す名称板２１を保持する名称板保持部１４ａとなる窪みが形成されている。このような形状のため、端子台１を回転させて使用する場合であっても名称板２１の場所を上下に変更させることにより外観を変えることなく使用可能としているものである。また、負荷側端子部４も、複数の端子部４ａを形成し、隣り合う端子部４ａを仕切る左右の隔壁１０ｂに、上面後端付近で、端子部４ａへのアクセスを阻害しない箇所に端子部４ａの相、負荷名称等を示す名称板２１を保持する名称板保持部１４ｂとなる窪みが形成されている。
【００１９】
図５〜図７に示すように、電源側端子部３の名称板保持部１４ａは、背面側保持面１５と、前面開口部１６と、前面開口部１６の開口端部に各々形成された上爪部１７と下爪部１８を有し、背面側保持面１５で保持した名称板２１を上爪部１７と下爪部１８で支えて名称板２１の落下を防止する構造となっている。
【００２０】
なお、電気機器収納用箱を構成する筐体２の外部に突出した電源側端子部３において、端子部３ａの頭頂部が露出していると危険なため、端子部３ａの頭頂部を覆う位置に端子カバー１２が脱着自在に取り付けられている。
【００２１】
以下、端子カバー１２の係止構造について説明する。
【００２２】
電源側端子部３において端子部３ａの左右両側に立設された隔壁１０ａの上下端部には、端子カバー１２の係止用の凹部１３が形成されている。
【００２３】
端子カバー１２が、隔壁１０ａの上下幅と略同一幅を有する場合には、端子カバー１２の上下両端部に形成した係止用折り曲げ辺１９を、隔壁１０ａの上下端部の凹部１３で係止することができるが、この場合には、従来同様、電源側端子部３の端子部３ａ前面側から端子部３ａの頭頂部への配線を可能とする配線空間を確保することはできない。
【００２４】
本実施形態の端子カバー１２は、隔壁１０ａの上下幅よりも狭い幅を有しており、図５では、端子カバー１２の上下両端部に形成した係止用折り曲げ辺１９を、上側の名称板保持部１４ａに形成された端子カバー係止部２３となる下爪部１８と、隔壁１０ａの下端部の凹部１３で係止している。すなわち、端子カバー１２を端子部３ａの下方に偏らせて配置しているため、端子カバー１２の上部に、電源側端子部３の前面側から端子部３ａの頭頂部への配線を可能とする配線空間１６ａが確保されている。また、図６では、端子カバー１２の上下両端部に形成した係止用折り曲げ辺１９を、下側の名称板保持部１４ａに形成された端子カバー係止部２３となる上爪部１７と、隔壁１０ａの上端部の凹部１３で係止している。すなわち、端子カバー１２を端子部３ａの上方に偏らせて配置しているため、端子カバー１２の下部に、電源側端子部３の前面側から端子部３ａの頭頂部への配線を可能とする配線空間１６ａが確保されている。このように、端子カバー１２は端子部３ａの上下の何れかに偏らせて配置することが可能となるため、端子部３ａの頭頂部の上下の何れかに配線空間１６ａが確保される。
【００２５】
このように配線空間１６ａを確保することにより、端子カバー１２と平行に電線の配線スペースが確保できない場合であっても、端子台１と接続された電線を過剰に折り曲げることなく配線することができる。したがって、過剰な折り曲げによる負荷による電線の破損を効果的に回避することができる。このような形状のため、電線の引き出し構造に合わせて端子カバー１２の配置等を自由に選択可能とするものである。また、従来の端子カバーも隔壁１０ａの上下端部に形成した凹部１３により保持できることから、従来の端子カバーと本発明に使用する端子カバー１２も自由に選択可能となるものである。更に、電源側端子部３の上側の名称板保持部１４ａの前面開口部１６の開口端部に設けた下爪部１８、下側の名称板保持部１４ａの上爪部１７は名称板２１の脱落防止部となる他、端子カバー１２の端子カバー係止部２３を兼ねるものであり、端子カバー係止部２３を別途形成することなく端子カバー１２を係止可能となるため、端子台１の構造を複雑なものとせず簡易な構造で形成することが可能となるものである。
【００２６】
図５、図６に示すように、電源側端子部３の名称板保持部１４ａの、背面側保持面１５には、凹状の端子カバー受部２０が形成され、該端子カバー受部２０が形成された名称板保持部１４ａの上爪部１７または下爪部１８で端子カバー１２の係止用折り曲げ辺１９を係止する際に、その先端部を受ける構造となっている。名称板保持部１４ａに名称板２１が保持された状態では、端子カバー受部２０は名称板２１で塞がれて、端子カバー１２の先端部を受けられないため、当該構造によれば必然的に端子カバー１２を正確な箇所（名称板保持部１４ａに保持された名称板２１をカバーする箇所）に係止することができ、名称板２１の落下も確実に回避することができる。この端子カバー受部２０は端子カバー係止部２３となる上爪部１７または下爪部１８に偏らせた位置、すなわち端子部３ａ側に偏らせた位置に形成している。
【００２７】
本実施形態の端子台１は、図７に示すように、１極１極分割可能にしており、極数を自由に変更・増設が可能な構造となっている。本実施形態において、各極は、負荷側端子部４に貫通して形成した固定部１１でねじ止めにより結合され、固定部１１は、筐体２内部に配置されるため、筐体２の外部への突出部分を少なくすることができる。また、固定部１１は、電気機器収納用箱を構成する筐体２の壁面に隣接して配置されているため、壁面に取り付けられた状態において、工具を使用しての分解は困難な構造となっている。
【００２８】
本実施形態においては、負荷側端子部４を筐体２の内側に形成し、筐体内部に名称板２１を配置可能な構造としているが、負荷側端子部４を筐体２の外側に突出するように形成することも可能である。
【符号の説明】
【００２９】
１  端子台
２  筐体
３  電源側端子部
３ａ  端子部
４  負荷側端子部
４ａ  端子部
５  取付部
６  腕部
７  連結部
９  端子孔
１０  隔壁
１０ａ  電源側端子部の隔壁
１０ｂ  負荷側端子部の隔壁
１１  固定部
１２  端子カバー
１３  凹部
１４  名称板保持部
１４ａ（電源側端子部の）名称板保持部
１４ｂ（負荷側端子部の）名称板保持部
１５  背面側保持面
１６  前面開口部
１６ａ  配線空間
１７  上爪部
１８  下爪部
１９  係止用折り曲げ辺
２０  端子カバー受部
２１  名称板
２２  端子板
２３  端子カバー係止部
１００  端子台
２００  端子カバー
３００、４００  ユニット
５００  電線
【図１】
2013222609.tif 000003
【図２】
2013222609.tif 000004
【図３】
2013222609.tif 000005
【図４】
2013222609.tif 000006
【図５】
2013222609.tif 000007
【図６】
2013222609.tif 000008
【図７】
2013222609.tif 000009
【図８】
2013222609.tif 000010
【図９】
2013222609.tif 000011